【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
分光素子と、
前記分光素子により分光された光を撮像し、複数波長の各々の分光画像を取得する撮像部と、
前記複数波長の各々の分光画像の複数の位置の分光データを取得する測色部と、
前記複数の位置の各々の分光データに基づいて、前記複数の位置の各々の色の情報をデコードする復号化部と、
を含むことを特徴とする分光測定装置。
【請求項２】
請求項１に記載の分光測定装置において、
前記撮像部は、複数色のコードパターンが二次元配列されたカラーコードの前記分光画像を取得し、
前記分光データは、前記撮像部が含む検出素子の複数の画素の各々の分光スペクトルであり、
前記復号化部は、前記複数の画素の各々の分光スペクトルの情報に基づいて前記複数色のコードパターンの配置を検出し、前記カラーコードをデコードすることを特徴とする分光測定装置。
【請求項３】
対象物から発する光を分光して所定波長の光を選択可能で、かつ前記選択する光の波長を変更可能な分光フィルターと、
前記分光フィルターにより分光された光を撮像し、分光画像を取得する撮像部と、
前記撮像部により、前記対象物から発せられた複数色のコードパターンが二次元配列されたカラーコードに対する複数波長の分光画像が取得された場合に、前記複数波長の分光画像における各画素の分光スペクトルを測定する測色部と、
前記各画素の前記分光スペクトルからの情報に基づいて、前記コードパターンの配置を検出し、前記カラーコードをデコードする復号化部と、を備えた
ことを特徴とする分光測定装置。
【請求項４】
請求項３に記載の分光測定装置において、
前記対象物から発せられる前記カラーコードは、所定時間ごとに前記コードパターンの色が変化し、
前記測色部は、前記所定時間ごとに変化する各カラーコードに対して、各画素の分光スペクトルを測定し、
前記復号化部は、前記各カラーコードに対する各画素の分光スペクトルからの情報に基づいて、前記各カラーコードに対応したデータをデコードする
ことを特徴とする分光測定装置。
【請求項５】
請求項３又は請求項４に記載の分光測定装置において、
前記撮像部により、前記対象物から発せられた複数色の基準カラーパッチを含む基準カラーパターンに対する複数波長の分光画像が取得され、前記測色部により、前記分光画像の各画素の分光スペクトルが測定された場合に、前記各基準カラーパッチに対応した前記分光スペクトルの相違が判別可能か否かを判定する色相違判定部を備えた
ことを特徴とする分光測定装置。
【請求項６】
請求項５に記載の分光測定装置において、
前記色相違判定部は、第一の基準カラーパッチに対して測定された第一の分光スペクトルの各波長における光量と、第二の基準カラーパッチに対して測定された第二の分光スペクトルの各波長に対する光量との差が、判別用閾値以下である場合に、前記第一の分光スペクトル及び前記第二の分光スペクトルが判別不可能であると判定し、
前記各基準カラーパッチに対応した前記分光スペクトルの相違が判別不可能であると判定した場合に、前記判別用閾値を所定値小さくする
ことを特徴とする分光測定装置。
【請求項７】
請求項５又は請求項６に記載の分光測定装置において、
前記分光フィルターを制御して、当該分光フィルターが前記選択する光の波長を所定の変更間隔で切り替えるフィルター制御部を備え、
前記フィルター制御部は、前記色相違判定部により前記各基準カラーパッチに対応した前記分光スペクトルの相違が判別不可能と判定された場合に、前記変更間隔を所定長小さくする
ことを特徴とする分光測定装置。
【請求項８】
請求項５から請求項７のいずれかに記載の分光測定装置において、
前記色相違判定部は、相違が判別可能な前記分光スペクトルを検知し、前記相違が判別可能な前記分光スペクトルに対応した前記基準カラーパッチの画素位置を前記対象物に出力する
ことを特徴とする分光測定装置。
【請求項９】
請求項３から請求項８のいずれかに記載の分光測定装置において、
前記分光フィルターは、第一反射膜と、前記第一反射膜に対向して配置された第二反射膜とを備え、前記第一反射膜と前記第二反射膜との間に入射した入射光を干渉させて所定波長の光を選択する波長可変干渉フィルターである
ことを特徴とする分光測定装置。
【請求項１０】
請求項３から請求項９のいずれかに記載の分光測定装置において、
前記分光フィルターに前記入射光を導くテレセントリック光学系を備えた
ことを特徴とする分光測定装置。
【請求項１１】
請求項３から請求項１０のいずれかに記載の分光測定装置において、
前記撮像部は、前記各コードパターンをそれぞれ複数の画素で撮像する
ことを特徴とする分光測定装置。
【請求項１２】
複数色のコードパターンが二次元配列されたカラーコードを出力するカラーコード出力部を備えた画像表示装置と、
前記画像表示装置に表示された画像からの光を分光して所定波長の光を選択可能で、かつ前記選択する光の波長を変更可能な分光フィルター、前記分光フィルターにより分光された光を撮像し、分光画像を取得する撮像部、前記撮像部により、前記カラーコードに対する複数波長の分光画像が取得された場合に、前記複数波長の分光画像における各画素の分光スペクトルを測定する測色部、及び、前記各画素の分光スペクトルからの情報に基づいて、前記コードパターンの配置を検出し、前記カラーコードをデコードする復号化部を有する分光測定装置と、を備えた
ことを特徴とする通信システム。
【請求項１３】
請求項１２に記載の通信システムにおいて、
前記画像表示装置は、複数色の基準カラーパッチを含む基準カラーパターンを出力する基準パターン出力部を備え、
前記分光測定装置は、前記測色部により、前記分光画像の各画素の分光スペクトルが測定された場合に、前記各基準カラーパッチに対応した前記分光スペクトルの相違が判別可能か否かを判定する色相違判定部を備えた
ことを特徴とする通信システム。
【請求項１４】
請求項１３に記載の通信システムにおいて、
前記分光測定装置は、前記色相違判定部により前記各基準カラーパッチに対応した前記分光スペクトルの相違が判別不可能と判定された場合に、表示色を変更させる旨の表示色変更要求を前記画像表示装置に出力し、
前記基準パターン出力部は、前記表示色変更要求が入力されると、前記基準カラーパターンにおける前記基準カラーパッチの表示数を減少させる
ことを特徴とする通信システム。
【請求項１５】
請求項１３又は請求項１４に記載の通信システムにおいて、
前記色相違判定部は、相違が判別可能な前記分光スペクトルを検知し、前記相違が判別可能な前記分光スペクトルに対応した前記基準カラーパッチの画素位置を前記画像表示装置に出力し、
前記カラーコード出力部は、判別可能な前記分光スペクトルに対応した前記基準カラーパッチと同色で、前記コードパターンを構成した前記カラーコードを出力する
ことを特徴とする通信システム。
【請求項１６】
画像表示装置に表示された画像からの光を分光して所定波長の光を選択可能で、かつ前記選択する光の波長を変更可能な分光フィルター、前記分光フィルターにより分光された光を撮像し、分光画像を取得する撮像部、前記撮像部により、前記画像表示装置に表示された複数色のコードパターンが二次元配列されたカラーコード、又は複数色のカラーパッチが二次元配列されたプロファイル作成用のカラーパターンに対する複数波長の分光画像が取得された場合に、前記複数波長の分光画像における各画素の分光スペクトルを測定する測色部、前記カラーコードに対する前記各画素の分光スペクトルからの情報に基づいて前記コードパターンの配置を検出し、前記カラーコードをデコードする復号化部、及び、前記カラーパターンに対する前記分光スペクトルと当該分光スペクトルが測定された画素位置とを対応づけたプロファイル作成用データを出力するデータ出力部、を有する分光測定装置と、
前記カラーコード及び前記カラーパターンを前記画像表示装置に表示させるパターン出力部、及び、前記分光測定装置から出力されたプロファイル作成用データを用いて前記画像表示装置のプロファイルを作成するプロファイル作成部、を有するプロファイル作成装置と、を備え、
前記カラーコードは、前記プロファイル作成装置のアドレスを含むデータが暗号化されたデータであり、
前記データ出力部は、前記復号化部により前記カラーコードをデコードして得られた前記アドレスに前記プロファイル作成用データを出力する
ことを特徴とするカラーマネージメントシステム。
【請求項１７】
請求項１６に記載のカラーマネージメントシステムにおいて、
前記分光測定装置は、同時に異なる領域に表示された前記カラーコード及び前記カラーパターンに対する複数の分光画像に基づいて、前記プロファイル作成用データ及び前記アドレスを取得する
ことを特徴とするカラーマネージメントシステム。
【請求項１８】
請求項１６に記載のカラーマネージメントシステムにおいて、
前記パターン出力部は、前記カラーパターン及び前記カラーコードを異なるタイミングで出力し、前記カラーパターン及び前記カラーコードを識別する識別画像を出力し、
前記分光測定装置は、前記識別画像を検知する識別画像検知部を備え、検知結果に応じて、前記カラーコード及び前記カラーパターンを識別する
ことを特徴とするカラーマネージメントシステム。
【請求項１９】
複数色のコードパターンが二次元配列されたカラーコードを出力するカラーコード出力部を備えた画像表示装置と、
請求項１に記載の分光測定装置と、
を含むことを特徴とする通信システム。
【請求項２０】
画像表示装置と、
請求項１に記載の分光測定装置と、
カラーコード及び前記カラーパターンを前記画像表示装置に表示させるパターン出力部と、前記分光測定装置から出力されたプロファイル作成用データを用いて前記画像表示装置のプロファイルを作成するプロファイル作成部と、を有するプロファイル作成装置と、を含み、
前記カラーコードは、前記プロファイル作成装置のアドレスを含むデータが暗号化されたデータであり、
前記分光測定装置のデータ出力部は、前記復号化部により前記カラーコードをデコードして得られた前記アドレスに前記プロファイル作成用データを出力することを特徴とするカラーマネージメントシステム。
【手続補正２】
【補正対象書類名】明細書
【補正対象項目名】０００６
【補正方法】変更
【補正の内容】
【０００６】
本発明の一態様の分光測定装置は、分光素子と、前記分光素子により分光された光を撮像し、複数波長の各々の分光画像を取得する撮像部と、前記複数波長の各々の分光画像の複数の位置の分光データを取得する測色部と、前記複数の位置の各々の分光データに基づいて、前記複数の位置の各々の色をデコードする復号化部と、を含むことを特徴とする。
上記の本発明に係る分光測定装置は、対象物から発する光を分光して所定波長の光を選択可能で、かつ前記選択する光の波長を変更可能な分光フィルターと、前記分光フィルターにより分光された光を撮像し、分光画像を取得する撮像部と、前記撮像部により、前記対象物から発せられた複数色のコードパターンが二次元配列されたカラーコードに対する複数波長の分光画像が取得された場合に、前記複数波長の分光画像における各画素の分光スペクトルを測定する測色部と、前記各画素の前記分光スペクトルからの情報に基づいて、前記コードパターンの配置を検出し、前記カラーコードをデコードする復号化部と、を備えたことを特徴とする。